(57)【特許請求の範囲】
【請求項１】
釣り用リールに設けられ電池で駆動されるリール用制御装置であって、
前記電池の電圧を検出する電圧検出手段と、
前記電圧検出手段の検出電圧と所定電圧とを比較しその大小を判断する比較判断手段と、
前記比較判断手段により前記検出電圧が所定電圧より低いと判断されたとき、通常の動作をそれと異なる異常動作で行わせ、前記異常動作では前記通常の動作より電力消費を抑えて動作する制御手段と、
水深データを含む表示データを表示する電池駆動型の表示手段と、
を備え、
前記制御手段は、前記検出電圧が所定電圧より低いと判断されたとき、前記表示手段に前記水深データを間引きして表示する、リール用制御装置。
【請求項２】
前記制御手段は、前記検出電圧が所定電圧より低いと判断されたとき、前記表示手段の輝度を低下させて表示する、請求項１に記載のリール用制御装置。
【請求項３】
釣り用リールに設けられ電池で駆動されるリール用制御装置であって、
前記電池の電圧を検出する電圧検出手段と、
前記電圧検出手段の検出電圧と所定電圧とを比較しその大小を判断する比較判断手段と、
前記比較判断手段により前記検出電圧が所定電圧より低いと判断されたとき、通常の動作をそれと異なる異常動作で行わせ、前記異常動作では前記通常の動作より電力消費を抑えて動作する制御手段と、
前記制御手段で受け付けられる制御情報を入力するための入力手段と、
を備え、
前記制御手段は、前記検出電圧が所定電圧より低いとき、前記入力手段からの入力に対する受付動作を変更する、リール用制御装置。
【発明の詳細な説明】
【０００１】
【発明の属する技術分野】
本発明は、制御装置、特に、釣り用リールに設けられ電池で駆動されるリール用制御装置に関する。
【０００２】
【従来の技術】
両軸受リール等の釣り用リールは、リール本体と、リール本体に回転自在に支持され釣り糸を巻き付けるためのスプールと、スプールを回転させるハンドルとを備えている。この種の釣り用リールにおいて、リール操作時のスプールの回転により仕掛けの水深を計測し表示するものが知られている。このような釣り用リールは、たとえば電池駆動されるマイクロコンピュータからなる制御装置を有している。制御装置には、液晶表示部やスプールの回転を検出するスプールセンサや各種操作を指令するための複数のキーが接続されている。
【０００３】
電池駆動される制御装置を有する釣り用リールでは、電池が一定以上消耗すると表示や水深計測等の制御を行えなくなる。このため、電池がある程度使用可能な所定以下の電圧になると交換の必要性を釣り人にアピールするためにその旨を釣り人に報知している。たとえば、電池が消耗したことを示すアラームマークを液晶表示部に表示したり、アラームを一定時間鳴らしたりしている。
【０００４】
【発明が解決しようとする課題】
このような交換の必要性をアピールするためにアラームマーク表示やアラームの鳴動を行うだけでは、釣り人の見落としや聞き逃しにより報知されたことを釣りを終わった後で忘れると、消耗した電池の交換を忘れることがある。このように、消耗した電池の交換を忘れると、あるとき突然リールを使用できない事態になることがある。
【０００５】
また、このように通常の動作に加えて別の報知動作を行うと、ただでさえ電池が消耗しているのにさらにこの報知動作により電池が消耗し、電池の消耗が加速される。この結果、釣りを行っている最中に電池切れで制御不能になるおそれがある。
【０００６】
本発明の課題は、電池の消耗を抑えて電池交換の必要性を釣り人により確実にアピールできるようにすることにある。
【０００７】
【課題を解決するための手段】
発明１に係るリール用制御装置は、釣り用リールに設けられ電池で駆動される装置であって、電圧検出手段と、比較判断手段と、制御手段と、表示手段とを備えている。電圧検出手段は、電池の電圧を検出する。比較判断手段は、電圧検出手段の検出電圧と所定電圧とを比較しその大小を判断する。制御手段は、比較判断手段により検出電圧が所定電圧より低いと判断されたとき、通常の動作をそれと異なる異常動作で行わせ、異常動作では通常の動作より電力消費を抑えて動作する。表示手段は、水深データを含む表示データを表示する電池駆動型のものである。制御手段は、検出電圧が所定電圧より低いと判断されたとき、表示手段に水深データを間引きして表示する。ここでは、電圧検出手段が検出した電池の電圧が所定電圧より低くなると、制御手段が通常の制御をそれと異なる異常動作で行わせるので、釣り人は、頻繁に行われる通常動作が変化したことで電池の消耗を認識でき、電池交換の必要性をより確実に釣り人にアピールできる。また、通常の動作とは別の報知のための表示や発音といった動作を行わないので、そのような場合に比べて報知による電池の消耗を抑えることができる。また、この場合には、電池の消耗を報知するための異常動作が節電動作であるので、消耗を報知しても電池の消耗が加速されず、電池の消耗をより抑えることができる。また、この場合には、電池が消耗すると表示データが異常状態で表示されるので、釣り人は、頻繁に見ている表示データが変化したことで電池の消耗を認識でき、電池交換の必要性をより確実に釣り人にアピールできる。さらに、この場合には、水深データの表示が通常と異なり間引きされるので、直ちに電池の消耗を認識でき、電池交換の必要性をより確実に釣り人にアピールできる。
【０００８】
発明２に係るリール用制御装置は、発明１に記載の装置において、制御手段は、検出電圧が所定電圧より低いと判断されたとき、表示手段の輝度を低下させて表示する。ここでは、電圧検出手段が検出した電池の電圧が所定電圧より低くなると、表示手段の輝度を低下させて表示するので、さらに電力消費を抑えて電池の消耗を抑えることができる。
【０００９】
発明３に係るリール用制御装置は、釣り用リールに設けられ電池で駆動される装置であって、電圧検出手段と、比較判断手段と、制御手段と、入力手段とを備えている。電圧検出手段は、電池の電圧を検出する。比較判断手段は、電圧検出手段の検出電圧と所定電圧とを比較しその大小を判断する。制御手段は、比較判断手段により検出電圧が所定電圧より低いと判断されたとき、通常の動作をそれと異なる異常動作で行わせ、異常動作では通常の動作より電力消費を抑えて動作する。入力手段は、制御手段で受け付けられる制御情報を入力する。制御手段は、検出電圧が所定電圧より低いとき、入力手段からの入力に対する受付動作を変更する。ここでは、電圧検出手段が検出した電池の電圧が所定電圧より低くなると、制御手段が通常の制御をそれと異なる異常動作で行わせるので、釣り人は、頻繁に行われる通常動作が変化したことで電池の消耗を認識でき、電池交換の必要性をより確実に釣り人にアピールできる。また、通常の動作とは別の報知のための表示や発音といった動作を行わないので、そのような場合に比べて報知による電池の消耗を抑えることができる。また、この場合には、電池の消耗を報知するための異常動作が節電動作であるので、消耗を報知しても電池の消耗が加速されず、電池の消耗をより抑えることができる。さらに、この場合には、入力手段により制御情報を入力してもそれが異なる受付動作で受け付けられるので、直ちに電池の消耗を認識でき、電池交換の必要性をより確実に釣り人にアピールできる。
【００１０】
【発明の実施の形態】
図１に示す本発明の一実施形態を採用した両軸受リールは水深表示器を有する手巻リールであり、リールボディ１と、リールボディ１の側方に配置されたスプール回転用のハンドル２と、ハンドル２のリールボディ１側に配置されたドラグ調整用のスタードラグ３とを備えている。リールボディ１の上部には操作パネル４が固定されており、リールボディ１の内部にはハンドル２に駆動機構を介して連結されたスプール１０が回転自在に支持されている。また、リールボディ１の手前側側面にはハンドル２とスプール１０とを係脱するクラッチ操作レバー１１が配置されている。
【００１１】
操作パネル４には、図２に詳しく説明するように、液晶ディスプレイからなる表示部５と、各種の制御指令を入力するための操作キー部６とが配置されている。表示部５には、上段に水深を表示する水深表示部５ａが配置され、下段に水底の水深を表示するための水底表示部５ｂと、棚位置を表示するための棚位置表示部５ｃとが並べて配置されている。これらの表示部５ａ〜５ｃでは、０．１ｍ単位で水深及び棚位置を表示可能である。水深表示部５ａの右横には各種状態を表示するための状態表示部５ｄが配置されている。
【００１２】
操作キー部６には、操作開始を指令したり０セットを行うためのＯＮボタンＰＢと、棚位置をセットするための棚メモボタンＴＢ及び水底をセットするための底メモボタンＳＢが配置されている。
【００１３】
また、操作パネル４の表示部の左方にはボタン型の電池１２の収納部１３が設けられている。この電池１２は、操作パネル４の制御及び駆動用の電源である。収納部１３の下方には、各種の警報音をならすためのアラーム１４が配置されている。
【００１４】
この両軸受リールは、表示モードを上からモード（以下、Ｕモードという）と底からモード（以下、Ｓモードという）とに切り換え可能であるとともに、それらの表示モードにおいて棚設定モードを手動棚メモモード（以下、ＭＴモードという）と自動棚メモモード（以下、ＡＴモードという）とに切り換え可能である。ここで、Ｕモードとはリールを基準として水深を表示するモードであり、Ｓモードとは水底を基準として水底からの距離で水深を表示するモードである。また、ＭＴモードは、棚メモボタンＴＢを押したときの水深を棚位置として設定するモードであり、ＡＴモードは、一定水深以上で所定時間以上リールの操作を停止していた水深を棚位置に設定するモードである。この棚位置は、表示モードによって異なり、Ｕモードのときには上からの水深で棚位置が、Ｓモードのときには水底の水深からそのときの水深を引いた水底からの距離で棚位置がそれぞれ設定される。
【００１５】
操作パネル４の左側部は、図１に示すように、スプール１０に巻かれた釣り糸の実際長さを計測するための糸長計測器１５の取付面１５ａとなっている。リールボディ１及び操作パネル４の側面には、糸長測定器１５を係止するための窪み部１６，１７が設けられている。また、取付面１５ａの裏面側には糸長計測器１５に取り付けられた回転する磁石（図示せず）を感知するリードスイッチからなる中継スイッチ２２（図３）が設けられている。糸長計測器１５は、スプール１０に釣り糸を巻き付ける際に、スプール１０に巻き付けられた釣り糸の表面にローラを接触させて実際の糸長を計測するものである。この糸長計測器１５は、通常、釣り糸を新たに巻き付けるときに装着される。
【００１６】
また、両軸受リールは、図３に示す制御部２０を有している。制御部２０は、ＣＰＵ，ＲＡＭ，ＲＯＭ，Ｉ／Ｏインターフェイス等を含むマイクロコンピュータを備えており、制御プログラムに従って後で説明する各種の制御動作を実行する。制御部２０には、操作キー部６の各種のボタンと、スプール１０の回転位置及び回転方向を検出するための１対のリードスイッチからなるスプール回転センサ２１と、中継スイッチ２２とが接続されている。また、制御部２０には、各種の警報音を出力するアラーム１４と、表示部５と、記憶部２３と、電圧検出部２４と、電源供給用の電池１２とが接続されている。記憶部２３は、たとえばＥＥＰＲＯＭ等の不揮発メモリからなり、糸長計測器１５を使用して得られたスプール１０の回転位置と実際の糸長との関係や棚位置や水底位置等の各種の設定値を記憶するものである。電圧検出部２４は電池１２にも接続されており、電池１２の電圧を検出する。
【００１７】
次に、制御部２０によって行われる制御処理を、図４以降の制御フローチャートに従って説明する。
【００１８】
両軸受リールに電池１２が装着されると、図４のステップＳ１において初期設定を行う。この初期設定では、スプール１０の回転位置を「０」にリセットしたり、電源低下を示すフラグＤＦ、Ｓモードを示すフラグＢ及びＭＴモードを示すフラグＭ等の各種フラグや変数をリセット（オフ）する。また、表示モードをＵモードに、棚設定モードをＡＴモードに設定する。
【００１９】
ステップＳ２ではＯＮボタンＰＢが押されるのを待つ。ＯＮボタンＰＢが押されるとステップＳ３に移行する。ステップＳ３では、表示部５に水深等の各種の表示を行う図５に示す表示処理を行う。ステップＳ４では、電圧検出部２４で検出された電圧ＤＶが所定の電圧ＤＳ以下になったか否かを判断する。この所定の電圧ＤＳは電池１２の電圧降下特性により決定される電圧であり、たとえば、あと２〜３日はまだ使える程度の電圧である。
【００２０】
ステップＳ５では、操作キー部６のいずれかのボタンによりキー入力がなされたか否かを判断する。ステップＳ６では、水深ＬＮが６ｍを越えるか否かを判断する。水深ＬＮが６ｍ以下の場合にはステップＳ７に移行する。ステップＳ７では、６ｍ以下の水深で５秒以上停止しているか否かを判断する。５秒以上停止している場合には船縁で停止していると思われるのでステップＳ８に移行し、船縁値（釣り糸の巻き過ぎを防止するための値）ＦＢにそのときの水深ＬＮをセットする。５秒未満の場合にはこの処理を飛び越す。
【００２１】
ステップＳ９では、スプール１０が回転しているか否かを判断する。この判断はスプール回転センサ２１の出力の有無により判断する。ステップＳ１０では、その他の指令がなされたか否かを判断し、その他の指令がなされていない場合にはステップＳ３に戻る。
【００２２】
検出電圧ＤＶが所定の電圧ＤＳより低いと判断すると、ステップＳ４からステップＳ１１に移行する。ステップＳ１１ではフラグＤＦをオンする。このフラグＤＦは、電池１２が消耗して所定の電圧ＤＳ以下になったことを示すフラグである。
【００２３】
キー入力がなされたと判断するとステップＳ５からステップＳ１２に移行し、図６に示すキー入力処理を行う。
【００２４】
水深ＬＮが６ｍを越えた場合にはステップＳ６からステップＳ１３に移行する。ステップＳ１３では、６ｍを越えた水深で５秒以上停止しているか否かを判断する。６ｍを越えた水深で５秒以上停止している場合には、仕掛けが棚位置に配置されていると判断できるのでステップＳ１４に移行し、ＡＴモードか否かを判断する。ＡＴモードのとき、つまりフラグＭがオフしているときにはステップＳ１５に移行し、そのときの水深ＬＮを上棚位置ＴＵにセットする。このセットされた上棚位置ＴＵが記憶部２３に記憶される。ステップＳ１６では、水底水深Ｓから水深ＬＮを減算した底からの水深を底棚位置ＴＳにセットする。このセットされた底棚位置ＴＳも記憶部２３に記憶される。停止時間が５秒未満のときや棚設定モードがＭＴモードのときには、これらの自動棚設定処理を行わなず、ステップＳ９に移行する。
【００２５】
スプール１０が回転していると判断するとステップＳ９からステップＳ１７に移行する。ステップＳ１７では、中継スイッチ２２がオンしたか否かを判断する。中継スイッチ２２がオンするのは糸長測定器１５が取付面１５ａに装着されたときだけである。糸長測定器１５を装着するのは新たな釣り糸をスプール１０に巻き付けて新たなスプール回転数と糸長との関係を記憶する学習処理を行うときだけである。したがって、中継スイッチ２２がオンしているときには、ステップＳ１８に移行し学習モード処理を実行する。この学習モード処理では、スプールの所定回転毎の中継スイッチ２２の回転位置を読み込み、それによりスプールの回転データＮと中継スイッチの回転数による実際の糸長データ（水深）ＬＮとの関係をマップデータ（ＬＮ＝ＭＡＰ（Ｎ））として学習し、それを記憶部２３に記憶する。中継スイッチ２２がオンしていないときにはステップＳ１９に移行し、各モード処理を実行する。その他の指令がなされた場合にはステップＳ１０からステップＳ２０に移行し、指令に応じた他の処理を実行する。
【００２６】
ステップＳ３の表示処理では、図５のステップＳ２１でフラグＢがオンしているか否かを判断する。つまり、表示モードがＳモードか否かを判断する。最初は表示モードがＵモードであるのでこの判断は「Ｎｏ」になる。表示モードがＵモードのときにはステップＳ２２に移行し、各モード処理で得られた上からの水深、つまり、回転データＮに基づき記憶部２３から呼び出したマップデータＭＡＰにより算出された糸長データ（上からの水深）ＬＮ、設定された水底水深Ｓ、及び設定された上棚位置ＴＵを水深表示部５ａ、水底表示部５ｂ、及び棚位置表示部５ｃにそれぞれ表示する。
【００２７】
表示モードがＳモードのときには、ステップＳ２１からステップＳ２３に移行する。ステップＳ２３では、水深ＬＮが１０ｍを越えるか否かを判断する。水深ＬＮが１０ｍを越える場合にはステップＳ２４に移行する。ステップＳ２４では、水深表示を強制的に上からの水深ＬＮにするためのフラグＤがオンしているか否かを判断する。フラグＤがオンしていない場合にはステップＳ２５に移行する。ステップＳ２５では、水底水深Ｓから水深ＬＮを減算した底からの水深（Ｓ−ＬＮ）、設定された水底水深Ｓ、及び設定された底棚位置ＴＳを水深表示部５ａ、水底表示部５ｂ、及び棚位置表示部５ｃにそれぞれ表示する。
【００２８】
一方、ステップＳ２３で水深が１０ｍ以下の場合にはステップＳ２６に移行する。ステップＳ２６では、フラグＤがオンしているか否かを判断する。フラグＤがオンしていない場合にはステップＳ２７に移行する。ステップＳ２７ではフラグＤをオンする。
【００２９】
ステップＳ２６でフラグＤがオンしている場合又はステップＳ２７での処理が終了するとステップＳ２８に移行する。ステップＳ２８では水深表示部５ａにＳモードにも関わらず上からの水深ＬＮを表示し、水底表示部５ｂ，棚位置表示部５ｃに水底水深Ｓ，底棚位置ＴＳをそれぞれ表示する。この結果、以降の処理でフラグＤがオフされるまで底からモードであっても水深表示は上からの水深ＬＮが表示される。
【００３０】
ステップＳ２２のキー入力処理では、図６のステップＳ３１でＯＮボタンＰＢが押されたか否かを判断する。ステップＳ３２では、棚メモボタンＴＢが押されたか否かを判断する。ステップＳ３３では、底メモボタンＳＢが押されたか否かを判断する。ステップＳ３４では、他のキー入力操作がなされたか否かを判断する。
【００３１】
ＯＮボタンＰＢが押された場合には、ステップＳ３１からステップＳ３５に移行する。ステップＳ３５では、同時に棚メモボタンＴＢ又は底メモボタンＳＢが押されたか否かを判断する。同時に２つのボタンを押すとステップＳ３６に移行してフラグＭをオフし、図４のステップＳ２に移行し操作終了状態になる。ＯＮボタンＰＢしか押されなかった場合にはステップＳ３７に移行し、水深の０点を較正する０セット処理がなされる。
【００３２】
棚メモボタンＴＢが押されるとステップＳ３２からステップＳ３８に移行し、フラグＭをオンし、棚設定モードをＭＴモードにする。なお、このフラグＭは操作終了しない限りオフされることはない。つまり、一度ＭＴモードにするとＡＴモードへの復帰は操作終了しない限りできない。ただし、いずれかのキーで棚設定モードを自由に切換可能にしてもよい。ステップＳ３９では、ステップＳ２５と同様に上棚位置ＴＵをセットする。ステップＳ４０では、ステップＳ２６と同様にして底棚位置ＴＳをセットする。これらのセットされた各棚位置ＴＵ，ＴＳにより記憶部２３のデータは更新される。
【００３３】
底メモボタンＳＢが押されるとステップＳ３３からステップＳ４２に移行する。ステップＳ４２では、底メモボタンＳＢが３秒以上押され続けられているか否かを判断する。このボタンＳＢを３秒以上押すと、表示モードを切り換えることができる。３秒以上押されていない場合にはステップＳ４３に移行し、そのときの水深ＬＮを水底水深Ｓにセットする。これによりステップＳ３２、Ｓ３５又はＳ３８で水底表示部５ｂに水底水深Ｓが表示される。ステップＳ４４では、フラグＤをオフする。したがって、これより水深ＬＮが１０ｍ未満に巻き上げられるまではＳモードの場合、底からの水深が水深表示部５ａに表示される。
【００３４】
底メモボタンＳＢが３秒以上押された場合にはステップＳ４２からステップＳ４５に移行する。ステップＳ４５では、フラグＢがオンしているか否か、つまり、表示モードがＳモードか否かを判断する。表示モードがＵモードのときにはステップＳ４６に移行し、フラグＢをオンして表示モードをＳモードに切り換える。表示モードがＳモードのときにはステップＳ４５からステップＳ４７に移行し、フラグＢをオフして表示モードをＵモードに切り換える。
【００３５】
他のキー入力操作がなされた場合にはステップＳ３４からステップＳ４８に移行し、入力操作に応じた他の処理を行う。たとえば、棚メモボタンＴＢと底メモボタンＳＢとが同時に３秒以上押された場合にはそれらに応じた処理を行う。
【００３６】
ステップＳ２９の各モード処理では、図７のステップＳ５１でスプール１０の回転が糸繰り出し方向か否かを判断する。この判断はスプール回転センサ２１のいずれのリードスイッチが先にオンしたかにより行う。スプール１０の回転が糸繰り出し方向と判断するとステップＳ５２に移行する。ステップＳ５２では、フラグＤＦがオンしているか否か、つまり電池１２が所定の電圧ＤＳ以下に消耗しているか否かを判断する。消耗していない場合にはステップＳ５３に移行し、回転データＮにより求められた水深ＬＮを０．１ずつ増加する。消耗している場合にはステップＳ５４に移行し、水深ＬＮを０．２ずつ増加する。この結果、ステップＳ３２，Ｓ３５，Ｓ３８で水深表示部５ａの水深表示が更新される。このとき、電池１２が消耗していないときには、水深は０．１ｍ間隔で表示されるが、消耗すると０．２ｍ間隔になる。
【００３７】
ステップＳ５５では、算出された水深ＬＮが上棚位置ＴＵと一致するか否かを判断する。ステップＳ５５では、他のモードか否かを判断する。
【００３８】
算出された水深ＬＮが上棚位置ＴＵと一致するとステップＳ５４からステップＳ５７に移行する。ステップＳ５７では、フラグＢがオンしているか否かを判断する。フラグＢがオンしていないとき、つまりＵモードのときにはステップＳ５８に移行し、アラーム２５から棚アラーム（ピピーッ）を出力する。ＳモードのときにはステップＳ５８を飛び越す。
【００３９】
他のモードの時にはステップＳ５５からステップＳ５９に移行し、設定された他のモード処理を実行する。
【００４０】
スプール１０の回転方向が巻き上げ方向と判断されるとステップＳ５１からステップＳ６０に移行する。ステップＳ６０では、フラグＤＦがオンしているか否か、つまり電池１２が所定の電圧ＤＳ以下に消耗しているか否かを判断する。消耗していない場合にはステップＳ６１に移行し、回転データＮにより求められた水深ＬＮを０．１ずつ減少する。消耗している場合にはステップＳ６２に移行し、水深ＬＮを０．２ずつ減少する。この結果、ステップＳ３２，Ｓ３５，Ｓ３８で水深表示部５ａの水深表示が更新される。このように、電池１２が消耗していないときには、水深は０．１ｍ間隔で表示されるが、消耗すると０．２ｍ間隔になる。
【００４１】
ステップＳ６３では、水底水深Ｓから算出された水深ＬＮを減算した底からの水深（Ｓ−ＬＮ）が底棚位置ＴＳと一致するか否かを判断する。ステップＳ６４では、算出された水深ＬＮが上棚位置ＴＵと一致するか否かを判断する。ステップＳ６５では、水深ＬＮが船縁値ＦＢに一致したか否かを判断する。
【００４２】
底からの水深が底棚位置ＴＵに一致するとステップＳ６３からステップＳ６８に移行する。ステップＳ６８では、フラグＢがオンしているか否かを判断する。フラグＢがオンしているとき、つまりＳモードのときにはステップＳ６９に移行し、アラーム２５から棚アラーム（ピピーッ）を出力する。ＵモードのときにはステップＳ６９を飛び越す。
【００４３】
水深ＬＮが上棚位置ＴＵと一致するとステップＳ６４からステップＳ７０に移行する。ステップＳ７０では、ステップＳ５６と同様にフラグＢがオンしているか否かを判断する。フラグＢがオンしていないとき、つまりＵモードのときにはステップＳ７１に移行し、アラーム２５から棚アラーム（ピピーッ）を出力する。ＳモードのときにはステップＳ７１を飛び越す。
【００４４】
ステップＳ６５で水深ＬＮが船縁値ＦＢに一致するとステップＳ６５からステップＳ７２に移行する。ステップＳ７２では、アラーム２５から船縁アラーム（ピピッ）を出力する。
【００４５】
このように、釣り人が常に見ている水深を、正常な状態（たとえば０．１ｍ間隔）と異なる状態（たとえば、０．２ｍ間隔）で表示することで電池１２の消耗を報知しているので、電池交換の必要性をより確実に釣り人にアピールできる。また、報知のためにアラーム１４を鳴らしたり別のアラームを点灯したりしないで通常の表示を変更しているだけであるので、それらに比べて電力消費を抑えて電池１２の消耗を抑えることができる。
【００４６】
〔他の実施形態〕
（ａ）  電池１２が消耗したときに水深表示の間隔を変える代わりに、図６に示すキー入力処理において、通常は一回押せばよいボタンを、フラグＤＦがオンしているとき、２度押さないと所望の動作を行えないようにしてもよい。
【００４７】
（ｂ）  手巻リールに代えて、電池駆動される電動リールにも本発明は適用できる。
【００４８】
（ｃ）  電池１２が消耗したときに表示部５の輝度を低下させ、さらに電力消費を抑えて電池１２の消耗を抑えるようにしてもよい。
【００４９】
【発明の効果】
本発明に係るリール用制御装置では、電池の電圧が所定電圧より低くなると、通常の制御をそれと異なる異常動作で行うので、釣り人は、頻繁に行われる通常動作が変化したことで電池の消耗を認識でき、電池交換の必要性をより確実に釣り人にアピールできる。また、通常の動作とは別の報知のための表示や発音といった動作を行わないので、そのような場合に比べて報知による電池の消耗を抑えることができる。
【図面の簡単な説明】
【図１】  本発明の一実施形態を採用した両軸受リールの平面図。
【図２】  その表示部の平面拡大図。
【図３】  リールの制御系の構成を示すブロック図。
【図４】  メインルーチンの処理内容を示すフローチャート。
【図５】  表示処理の処理内容を示すフローチャート。
【図６】  キー入力処理の処理内容を示すフローチャート。
【図７】  各モード処理の処理内容を示すフローチャート。
【符号の説明】
５  表示部
６  操作キー部
１２  電池
１４  アラーム
２０  制御部
２４  電圧検出部
【図１】
0003695843.tif 000002
【図２】
0003695843.tif 000003
【図３】
0003695843.tif 000004
【図４】
0003695843.tif 000005
【図５】
0003695843.tif 000006
【図６】
0003695843.tif 000007
【図７】
0003695843.tif 000008